(57)【要約】【課題】開封ラベルに適用可能な識別媒体であって、開封の痕跡を明確に識別でき、且つ、それ自体も高い真贋判定機能を有した識別媒体を提供する。【解決手段】観察が行われる側から、カラーシフトを生じる光学機能層２００、部分的に形成された剥離層１０５、印刷層１０６、粘着層１０７と積層され、粘着層１０７と被着体１０８との接着力をＸａ、粘着層１０７と印刷層１０６との接着力をＸｂ、剥離層１０５の部分における光学機能層２００と印刷層２０６との接着力をＸｃとした場合に、Ｘａ＞Ｘｂ＞ＸｃまたはＸｂ＞Ｘａ＞Ｘｃであることを特徴とする識別媒体。【選択図】図１
2014074835.tif 000002
【特許請求の範囲】
【請求項１】
観察が行われる側から、
カラーシフトを生じる光学機能層と、
部分的に形成された剥離層と、
特定の色彩を有する印刷層と、
粘着層と
が積層された構造を有し、
前記粘着層と被着体との接着力をＸａ、
前記粘着層と前記印刷層との接着力をＸｂ、
前記剥離層の部分における前記光学機能層と前記印刷層との接着力をＸｃ、
とした場合に、Ｘａ＞Ｘｂ＞ＸｃまたはＸｂ＞Ｘａ＞Ｘｃであることを特徴とする識別媒体。
【請求項２】
前記光学機能層は、
ホログラム加工が施されたコレステリック液晶層と、
異なる屈折率を有する光透過性の薄膜を多層に積層した多層薄膜と
が積層された構造を有することを特徴とする請求項１に記載の識別媒体。
【請求項３】
前記剥離層は、図柄のパターンに形成されていることを特徴とする請求項１または２に記載の識別媒体。
【請求項４】
前記光学機能層の中に設けられた印刷層または前記光学機能層に接して設けられた印刷層を備えることを特徴とする請求項１〜３のいずれか一項に記載の識別媒体。
【請求項５】
前記光学機能層は、ホログラム加工が施されたコレステリック液晶層であることを特徴とする請求項１に記載の識別媒体。
【請求項６】
前記光学機能層は、異なる屈折率を有する光透過性の薄膜を多層に積層した多層薄膜であることを特徴とする請求項１に記載の識別媒体。
【請求項７】
前記Ｘｂ＞Ｘａ＞Ｘｃである場合において、
前記被着体から当該識別媒体が剥がされた際に、前記剥離層が形成された領域における前記印刷層および前記粘着層が凝集し、当該領域における前記印刷層のパターンが消失することを特徴とする請求項１〜６のいずれか一項に記載の識別媒体。
【発明の詳細な説明】
【技術分野】
【０００１】
本発明は、食品、パスポート、書類、各種カード、パス、紙幣、金券、証券、証書、商品券、絵画、切符、公共競技投票券、音楽や映像が記録された記録媒体、コンピュータソフトウェアが記録された記録媒体、各種部品、各種製品、衣料品およびそれらのパッケージ等の真正性（真贋性）を識別するための識別媒体に関する。
【背景技術】
【０００２】
開封の痕跡を識別できる偽造防止機能を有する開封ラベルが知られている。例えば、特許文献１には、転移型シールについて記載され、特許文献２には、非転移型シールについて記載されている。また、特許文献３には、開封シールの再利用を防止する技術が記載されている。
【先行技術文献】
【特許文献】
【０００３】
【特許文献１】特開平９−２７７４２３号公報
【特許文献２】特開２００３−８４６７２号公報
【特許文献３】特許第４５６５５４１号公報
【発明の開示】
【発明が解決しようとする課題】
【０００４】
従来の技術では、開封の痕跡を明確に識別できる機能（つまり、再利用防止機能）が低かった。また、開封ラベル自体にも開封を行っていない状態における真贋識別機能、つまり当該開封ラベルが偽造品でない旨を視覚的に識別可能である機能が求められている。このような背景において、本発明は、開封ラベルに適用可能な識別媒体であって、開封の痕跡を明確に識別でき、且つ、それ自体も高い真贋判定機能を有した識別媒体を提供することを目的とする。
【課題を解決するための手段】
【０００５】
請求項１に記載の発明は、観察が行われる側から、カラーシフトを生じる光学機能層と、部分的に形成された剥離層と、特定の色彩を有する印刷層と、粘着層とが積層された構造を有し、前記粘着層と被着体との接着力をＸａ、前記粘着層と前記印刷層との接着力をＸｂ、前記剥離層の部分における前記光学機能層と前記印刷層との接着力をＸｃ、とした場合に、Ｘａ＞Ｘｂ＞ＸｃまたはＸｂ＞Ｘａ＞Ｘｃであることを特徴とする識別媒体である。
【０００６】
この発明によれば、被着体に貼り付けられた状態において、カラーシフトによって当該識別媒体の真贋判定を行うことができる。
【０００７】
また、Ｘａ＞Ｘｂ＞Ｘｃである場合に、当該識別媒体を被着体から剥がすと、Ｘｃの部分で最初に層間が剥離し、次いでＸｂの部分で層間が剥離する。このため、印刷層は分断され、当該識別媒体における剥離層がある部分は、被着体側に残る。また、剥離層が無い部分は、印刷層１０６が粘着層１０７から剥離する。この結果、識別媒体は破壊され、剥がした方に一部印刷層が残り、被着体の側には、粘着層とその上に部分的に印刷層が残存したものが(破損した識別媒体の一部)が残存する。こうして、被着体に貼り付けられた識別媒体を剥がした痕跡が残る。ここで、剥がした識別媒体は破損し、印刷層が一部した残存していないので、剥がした痕跡が明確に残り、更に再利用ができない。
【０００８】
また、Ｘｂ＞Ｘａ＞Ｘｃである場合、当該識別媒体を被着体から剥がせるが、Ｘｃの部分が最初に剥離するので、その部分が視認できる状態となる。つまり、被着体から剥がした痕跡が当該識別媒体に残る。
【０００９】
印刷層は、インク材料を印刷により層状に定着させたものであり、層としての強度は小さい。このため、Ｘａ＞Ｘｂ＞Ｘｃの場合は、印刷層の破断が容易に生じ、剥がした識別媒体側と被着体の側とに共に印刷層の残骸が残る現象が確実に生じる。また、Ｘｂ＞Ｘａ＞Ｘｃの場合は、Ｘｃの部分で印刷層と光学機能層との間に隙間が生じた後に、印刷層の凝集が発生するため、印刷層が消失した事態を明瞭に視認することができる。つまり、印刷層の部分で層間剥離が生じるようにすることで、いずれの場合であっても、確実に当該識別媒体を被着体から剥がした痕跡が残る構成とすることができる。
【００１０】
請求項２に記載の発明は、請求項１に記載の発明において、前記光学機能層は、ホログラム加工が施されたコレステリック液晶層と、異なる屈折率を有する光透過性の薄膜を多層に積層した多層薄膜とが積層された構造を有することを特徴とする。この発明によれば、直接観察した場合におけるコレステリック液晶層および多層薄膜のカラーシフトによる識別、更に円偏光フィルタを介した観察におけるホログラムの観察の有無による識別を行うことができる。
【００１１】
請求項３に記載の発明は、請求項１または２に記載の発明において、前記剥離層は、図柄のパターンに形成されていることを特徴とする。この発明によれば、当該識別媒体を被着体から剥がした痕跡が図柄として視認されるので、当該識別媒体の不正な再利用を防止する効果を更に高くすることができる。なお、図柄としては、文字、図形、模様等が挙げられる。
【００１２】
請求項４に記載の発明は、請求項１〜３のいずれか一項に記載の発明において、前記光学機能層の中に設けられた印刷層または前記光学機能層に接して設けられた印刷層を備えることを特徴とする。この発明によれば、ロゴ等のデザインを更に追加することができる。
【００１３】
請求項５に記載の発明は、請求項１に記載の発明において、前記光学機能層は、ホログラム加工が施されたコレステリック液晶層であることを特徴とする。
【００１４】
請求項６に記載の発明は、請求項１に記載の発明において、前記光学機能層は、異なる屈折率を有する光透過性の薄膜を多層に積層した多層薄膜であることを特徴とする。
【００１５】
請求項７に記載の発明は、請求項１〜６のいずれか一項に記載の発明において、前記Ｘｂ＞Ｘａ＞Ｘｃである場合において、前記被着体から当該識別媒体が剥がされた際に、前記剥離層が形成された領域における前記印刷層および前記粘着層が凝集し、当該領域における前記印刷層のパターンが消失することを特徴とする。
【発明の効果】
【００１６】
本発明によれば、開封ラベルに適用可能な識別媒体であって、開封の痕跡を明確に識別でき、且つ、それ自体も高い真贋判定機能を有した識別媒体が提供される。
【図面の簡単な説明】
【００１７】
【図１】実施形態の側断面図である。
【図２】実施形態の側断面図である。
【図３】実施形態の側断面図である。
【発明を実施するための形態】
【００１８】
第１の実施形態
（構造）
図１には、識別媒体１００の断面構造が示されている。識別媒体１００は、観察が行われる側（図の上の方向）から、コレステリック液晶層１０１、多層薄膜層１０３、部分的に形成された剥離層１０５、印刷層１０６、粘着層１０７と積層された構造を有している。識別媒体１００は、粘着層１０６の粘着機能により、被着体（識別媒体１００が貼り付けられる対象物）１０８に貼り付けられている。被着体１０８は、識別の対象とする各種の物品やそのパッケージ等である。
【００１９】
コレステリック液晶層１０１は、厚さが０．５〜５μｍであり、赤の中心波長の右円偏光（右旋回の円偏光）を選択反射する設定とされている。この設定は、一例であり、選択反射する光の中心波長は、他の色（例えば、緑等）であってもよい。また、選択反射する光を左円偏光とするともできる。コレステリック液晶層１０１には、エンボス型を押し付けることで形成されたホログラム加工１０２が施されている。コレステリック液晶層１０１からの反射光を観察すると、このホログラム加工１０２に基づくホログラム像を観察することができる。このホログラム像の内容は、任意であるが、視覚した際に識別性が得られる図柄が選択される。なお、図示省略されているが、コレステリック液晶層１０１の露出面（図の上面）には、透明な保護層が形成されている。この保護層は、光透過性で、透過光の偏光状態を乱さない材質のもの（例えば、トリアセチルセルロースフィルム）により構成されている。
【００２０】
コレステリック液晶層１０１は、多層構造を有し、各層の界面からの反射光の干渉によるカラーシフトを観察することができる。これは、層に垂直な方向と視線の角度とが大きくなると（つまり、コレステリック液晶層１０１を視線に対して傾けると）、複数の界面から反射された反射光の干渉により強め合う波長が短波長側にシフトする現象である。例えば、コレステリック液晶層を直視した場合に、最初に垂直な方向から見た際に赤に見える設定において、徐々にコレステリック液晶層を傾けていくと、赤→橙→・・緑→・青と観察される干渉光の色が変化する。
【００２１】
多層薄膜層１０３は、異なる屈折率を有する光透過性のフィルムを交互に積層(例えば、１００〜２００層を積層)した構造を有している。多層薄膜１０３の厚さは、例えば１０〜２０μｍである。コレステリック液晶層１０１と多層薄膜１０３により光学機能層２００が構成されている。多層薄膜１０３もコレステリック液晶層１０１と同様のカラーシフトを観察することができる。
【００２２】
剥離層１０５は、シリコーン、フッ素加工物、ワックス類を用いて、特定の図柄パターン（例えば、文字や図形当）に形成されている。剥離層１０５の厚みは、印刷層１０６の厚みの５〜２０％程度とされている。
【００２３】
印刷層１０６は、インクを原料とした印刷により設けられた層である。印刷層１０６は、透明でない特定の色のインクを用いて構成されている。印刷層１０６は、単色でもよいし、複数の色でパターンを形成した状態であってもよい。印刷層１０６の厚さは、例えば１〜１０μｍである。
【００２４】
粘着層１０７は、粘着材により構成されており、その厚さは、例えば１０〜３０μｍである。粘着層１０７により、識別媒体１００は、被着体１０８に貼り付けられ固定されている。粘着層１０７は、透明であってもよいし、着色されていてもよい。なお、被着体１０８に貼り付ける前の段階では、粘着層１０７の露出面に図示しないセパレータ（離型紙）が貼り付けられている。被着体１０８に識別媒体１００を貼り付ける際は、このセパレータを粘着層１０７から剥がし、粘着層１０７の露出面を被着体１０８に押し付ける。
【００２５】
（転移型ラベルの例）
転移型ラベルとは、被着体１０８から剥がした際に識別媒体１００の一部が被着体１０８に残る形態のラベルである。この場合、粘着層１０７と被着体１０８との間の接着力（剥がすのに要する力）をＸａ、粘着層１０７と印刷層１０６との接着力をＸｂ、剥離層１０５が存在する部分における印刷層１０６と多層薄膜１０３との間の接着力をＸｃとした場合に、Ｘａ＞Ｘｂ＞Ｘｃとなるように各部の接着力を設定する。
【００２６】
ここで、Ｘａ＞Ｘｂと設定する方法としては、印刷層１０６を構成するインク材料中にフッ素樹脂やワックス等の印刷対象物への固着力を弱める添加物を加え、印刷層１０６と粘着層１０７との接着力を意図的に弱める手法が挙げることができる。この工夫の他の例としては、印刷層１０６と粘着層１０７との間に両者間の接着力を弱める材質でなる薄い層（例えば、ワックスを含む材料の層）を形成し、印刷層１０６と粘着層１０７との間の接着力を調整する手法を挙げることができる。
【００２７】
（非転移型ラベルの例）
非転移型ラベルとは、被着体１０８から剥がした際に識別媒体１００が被着体１０８に残らない形態のラベルである。この場合、粘着層１０７と被着体１０８との間の接着力（剥がすのに要する力）をＸａ、粘着層１０７と印刷層１０６との接着力をＸｂ、剥離層１０５と多層薄膜１０３との接着力をＸｃとした場合に、Ｘｂ＞Ｘａ＞Ｘｃとなるように各部の接着力を設定することで、識別媒体１００を非転移型ラベルとすることができる。ここで示す非転移型ラベルでは、対象物から剥がした際に識別媒体１００が対象物から完全に剥がれ、且つ、剥がした痕跡が識別媒体１００に残る。
【００２８】
Ｘｂ＞Ｘａとする方法としては、印刷層１０６を構成する材料と粘着層１０７を構成する粘着剤の相乗効果を利用し、Ｘａに対して、Ｘｂがより大きくなる状態を得る方法が挙げられる。
【００２９】
（光学機能）
図１の状態において、コレステリック液晶層１０１の側（図１の上方）から識別媒体１００を直接観察すると、コレステリック液晶層１０１からの赤の右円偏光の反射光と多層薄膜１０３からの反射光とが観察される。ここで、識別媒体１００を傾け、視線の角度を変えると、コレステリック液晶層１０１および多層薄膜１０３からの反射光の色が短波長側にシフトする。
【００３０】
そして、右円偏光を選択的に透過する右円偏光フィルタを介して識別媒体１００をコレステリック液晶層１０１の側（図１の上方）から観察すると、コレステリック液晶層１０１からの赤の右円偏光の反射光が優先的に見え、ホログラム加工１０２に起因するホログラム像が鮮明に見える。
【００３１】
また、左円偏光を選択的に透過する左円偏光フィルタを介して識別媒体１００をコレステリック液晶層１０１の側から観察すると、コレステリック液晶層１０１からの赤の右円偏光の反射光が左円偏光フィルタで遮断され、ホログラム像は見えず、多層薄膜１０３からの反射光が優先的に見える。
【００３２】
以上の光学機能により、対象物に貼り付けた状態における識別媒体１００の真贋判定を行うことができる。
【００３３】
（転移型ラベルの再利用防止機能）
Ｘａ＞Ｘｂ＞Ｘｃとなるように各部の接着力を設定し、識別媒体１００を転移型ラベルとした場合における再利用防止機能について説明する。この場合、図１の状態から識別媒体１００を被着体１０８から剥がすと、最初にＸｃの部分が剥離し、ついでＸｂの部分が剥離し、層としての強度が無に等しい印刷層１０６が破断し、図２に示す状態となる。この場合、識別媒体１００は、剥がすことができた識別媒体片１１０と、被着体１０８の側に残存した識別媒体片１１１とに分離する。ここで、印刷層１０６は分断され、識別媒体片１１０には、印刷層１０６の一部である印刷層パターン１０６ａが残存し、識別媒体片１１０には、印刷層１０６の一部である印刷層パターン１０６ｂが残存する。
【００３４】
識別媒体片１１０は、印刷層パターン１０６ａがあるために、一旦貼り付けられた被着体１０８から強制的に剥がされた事実を容易に認識することができる。同様に、識別媒体片１１１は、印刷層パターン１０６ｂがあるために、貼り付けられていた正規の識別媒体１００が剥がされた痕跡を明瞭に認識することができる。例えば、印刷層パターン１０６ａ，１０６ｂ（つまり、剥離層１０５）のパターンを、注意を喚起する文字や印のパターンとすることで、識別媒体１００が図２の状態となった状態、つまり識別媒体１００が強制的に被着体１０８から剥がされた事態を視覚的により認識し易い状態を得ることができる。このため、識別媒体１００の不正な再利用が防止される。
【００３５】
（非転移型ラベルの再利用防止機能）
Ｘｂ＞Ｘａ＞Ｘｃとなるように各部の接着力を設定し、識別媒体１００を非転移型ラベルとした場合における再利用防止機能について説明する。この場合、図１の状態から識別媒体１００を被着体１０８から剥がすと、最初にＸｃの部分が剥離し、ついでＸａの部分が剥離する。この状態では印刷層１０６と粘着層１０７を支持するものがないため、領域１１３の部分において印刷層１０６と粘着層１０７が凝集する。
【００３６】
この凝集により、領域１１３の部分における印刷層１０６は、領域１１３の周囲の印刷層１０６に吸引され、また一部が残渣物として当該領域に残る。また、同様に領域１１３の部分における粘着層１０７も、領域１１３の周囲の粘着層１０７に吸引され、また一部が残渣物として当該領域に残る。符号１１２は、これら残渣物と残存した剥離層１０５との凝集物である。この凝集が生じることで、図３に示すように領域１１３の部分において、印刷層１１７が実質的に消滅した状態になる（残渣物１１２が観察される場合もあるが、印刷パターンとしては実質的に機能せず、パターンが抜け、光が透過する透過パターンの状態となる）。このように、識別媒体１００は分離しないが、凝集により印刷層１０７が消失し、その部分のパターンが目立ち、視認できるようになる。つまり、識別媒体１００の不正な引き剥がしが痕跡として明瞭に認識できる状態となる。このため、識別媒体１００の不正な再利用が防止される。
【００３７】
例えば、領域１１３のパターンを文字や図形等の図柄パターンとした場合、図３の状態において、領域１１３の部分が透明となり、光学機能層２００越しにこの透明なパターンを明瞭に観察することができる。
【００３８】
（製造方法）
識別媒体１００を製造する工程の一例を説明する。まず、図示しない基材上でコレステリック液晶層１０１を形成し、それに型押しによるホログラム加工１０２を施す。他方において、多層薄膜１０３を用意し、その片面の一部に剥離層１０５のパターンを形成する。この際、剥離層１０５は、部分的に特定の図柄のパターンとなるように形成する。次に多層薄膜１０３の剥離層１０５が形成された側の面に、インクによる印刷層１０６を形成し、更に粘着層１０７を形成する。そして粘着層１０７の露出面に図示しないセパレータを貼り付ける。最後に、コレステリック液晶層１０１を図示しない基材から剥がし、それを多層薄膜１０３の露出面（印刷層１０６が設けられた面と反対側の面：図の上側の面）に透明な接着剤を用いて接着する。こうして、粘着面に図示しないセパレータが貼り付けられた識別媒体１００が得られる。
【００３９】
（優位性）
再利用を意図して本発明を利用した識別媒体を被着体から剥がすと、その痕跡が明瞭に残る。このため、当該識別媒体の不正な再利用が防止される。また、単なる目視において、コレステリック液晶層および多層薄膜層が示すからカラーシフト効果による真贋判定機能を得ることができる。また、専用のビューア（円偏光フィルタ）を介した観察により、ホログラムの可視、不可視のスイッチング効果が確認でき、それにより真贋判定が行える。このように、開封の痕跡を明確に識別でき、且つ、それ自体も高い真贋判定機能を有した識別媒体が得られる。
【００４０】
（その他）
コレステリック液晶層１０１を採用せず、光学機能層２００を多層薄膜層１０３のみとしてもよい。また、多層薄膜１０３を採用せず、光学機能層２００をコレステリック液晶層１０１のみとしてもよい。コレステリック液晶層１０１はラベルの一部だけに設けてもよい。コレステリック液晶層１０１の上側または下側に文字、形状等の印刷を施してもよい。また、多層薄膜層１０３の上側または下側に文字、形状等の印刷を施してもよい。これは、光学機能層２００として、コレステリック液晶層１０１および多層薄膜１０３の一方のみを用いる場合も同様である。
【産業上の利用可能性】
【００４１】
本発明は、真贋の識別を行うための技術に利用することができる。
【符号の説明】
【００４２】
１００…識別媒体、１０１…コレステリック液晶層、１０２…ホログラム加工、１０３…多層薄膜、１０５…剥離層、１０６…印刷層、１０６ａ…残存した印刷パターン、１０６ｂ…残存した印刷パターン、１０６ｃ…厚さが薄くなった印刷層の部分、１０７…粘着層、１０８…被着体、１１０…識別媒体片、１１１…識別媒体片、１１２…残渣物、１１３…凝集が生じた領域、２００…光学機能層。
【図１】
2014074835.tif 000003
【図２】
2014074835.tif 000004
【図３】
2014074835.tif 000005